(57)【要約】【課題】  断熱効果の低下を防止することができるエアカーテン装置およびその筐体を提供する。【解決手段】  空気を外部へ吹き出す吹出口１１Ｒ，１１Ｌおよび空気を内部へ吸込む吸込口１３Ｒ，１３Ｌが設けられた一対の筐体３Ｒ，３Ｌと、一対の筐体３Ｒ，３Ｌ内にそれぞれ設けられ、空気を吹出口１１Ｒ，１１Ｌから吹き出させる送風部１５Ｒ，１５Ｌと、を有し、一対の筐体３Ｒ，３Ｌの内部には、空気を一時的に貯留する貯留部２１Ｒ，２１Ｌ，２３Ｒ，２３Ｌが設けられ、一方の筐体３Ｒにおける吹出口１１Ｒおよび吸込口１５Ｒに対して他方の筐体３Ｌにおける吸込口１５Ｌおよび吹出口１３Ｌがそれぞれ対向配置され、送風部１５Ｒにより吹き出された空気が、吹出口１１Ｒから吸込口１３Ｌ、吹出口１３Ｌ、吸込口１３Ｒの順に循環されることを特徴とする。【選択図】  図１
2008215724.tif 000002
【特許請求の範囲】
【請求項１】
空気を外部へ吹き出す吹出口および空気を内部へ吸込む吸込口が設けられた一対の筐体と、
該一対の筐体内にそれぞれ設けられ、空気を前記吹出口から吹き出させる送風部と、を有し、
前記一対の筐体の内部には、空気を一時的に貯留する貯留部が設けられ、
一方の筐体における前記吹出口および前記吸込口に対して他方の筐体における前記吸込口および前記吹出口がそれぞれ対向配置され、
前記送風部により吹き出された空気が、前記一方の筐体の前記吹出口から前記他方の筐体の前記吸込口、前記他方の筐体の前記吹出口、前記一方の筐体の前記吸込口の順に循環されることを特徴とするエアカーテン装置。
【請求項２】
前記送風部に吸込まれる空気の流れ方向、または、前記送風部から吹き出される空気の流れ方向の少なくとも一方が、前記一方の筐体および前記他方の筐体の間における空気が循環する面に対して交差するように前記送風部が配置されていることを特徴とする請求項１記載のエアカーテン装置。
【請求項３】
前記一対の筐体にそれぞれ設けられた前記送風部の送風能力が略同等であることを特徴とする請求項１または２に記載のエアカーテン装置。
【請求項４】
前記一方の筐体および前記他方の筐体における前記吹出口と前記吸込口との間には、前記吹出口と前記吸込口とを所定間隔に離間させる離間部が設けられていることを特徴とする請求項１から３のいずれかに記載のエアカーテン装置。
【請求項５】
一対の筐体間で空気の循環流れを形成するエアカーテン装置の筐体であって、
一対の筐体には、外部に空気を吹き出す吹出口と、内部に空気を吸込む吸込口と、空気を一時的に貯留する貯留部とが設けられ、
一対の筐体に設けられた前記吹出口が略同一面積に形成されているとともに、
一対の筐体に設けられた前記吸込口が略同一面積に形成されていることを特徴とするエアカーテン装置の筐体。
【発明の詳細な説明】
【技術分野】
【０００１】
本発明は、エアカーテン装置およびその筐体に関する。
【背景技術】
【０００２】
従来、温度管理がなされている冷凍庫などの倉庫や、冷房や暖房がされている百貨店の店舗などの外部との温度差がある空間において、外部との熱の出入りを遮断する装置としてエアカーテン装置が用いられている。このように外部との熱の出入りを遮断することで、温度管理や冷房等にかかる費用を削減することができる。
また、エアカーテン装置は、外部からの虫等の侵入を防止するために用いられている。
【０００３】
上述のエアカーテン装置としては、上方から床面に向けて空気を吹き出し、空気流れのカーテン（エアカーテン）を形成するものが知られている。このエアカーテンにより、冷凍庫などの内部空間と外部との間での空気の流入、流出を遮断し、外部との熱の出入りを遮断している。
【０００４】
しかしながら、上述のように、上方から床面に向けて空気を吹き出す方法では、空気流れは床面に衝突して大半は外部へ流出するが、一部は内部空間へ流入していた。このとき、内部空間へ流入する空気流れとともに、外部からわずかながら空気が流入していた。そのため、時間が経過するにつれて内部空間に流入した外部の空気が増え、熱の遮断効果が低下するという問題があった。
そのため、この熱の遮断効果の低下を防止するさまざまな技術が提案されている（例えば、特許文献１参照。）。
【特許文献１】特開２０００−２４９３８２号公報（第５頁、第４図等）
【発明の開示】
【発明が解決しようとする課題】
【０００５】
上述の特許文献１には、左右方向に配置された一対のエアカーテン装置の間で、空気を水平方向に行き来させることによりエアカーテンを形成する技術が開示されている。
この技術によれば、空気流れが衝突により澱む領域が形成されず、外部と内部空間との空気の流入、流出をより効果的に遮断することができた。
【０００６】
上述の特許文献１に記載されたエアカーテン装置においては、一方のエアカーテン装置と他方のエアカーテン装置とに形成された空気吹き出し口および空気吸込み口の大きさが異なっているため、一方のエアカーテン装置から吹き出される空気量と、他方のエアカーテン装置から吹き出される空気量とが異なっている。
そのため、例えば、一方のエアカーテン装置の空気吸込み口では、他方のエアカーテン装置から吹き出された空気の他に外部の空気等が吸込まれる恐れがあった。また、他方のエアカーテン装置の空気吸込み口では、一方のエアカーテン装置から吹き出された空気の一部が吸込まれきれず、内部空間等に流入する恐れがあった。
このような空気の循環を一対のエアカーテン装置の間で続けることにより、外部の空気が内部空間に流入する恐れがあり、熱の断熱効果が低下する恐れがあった。
【０００７】
また、エアカーテン装置のファンとして軸線方向長さの長い円筒状のシロッコファンが用いられている。このシロッコファンには、軸線方向の一端から吸込み口から流入した空気が供給されている。一方、シロッコファンの吸込み口から遠い側の端部では、空気が供給されにくくなる。このように、シロッコファンの両端部において供給される空気量が異なると、空気吹き出し口から吹き出される空気の流速分布が不均一となる。流速分布が不均一となると、流速が遅い領域から外部の空気が内部空間に流入する恐れがあり、熱の断熱効果が低下する恐れがあった。
【０００８】
本発明は、上記の課題を解決するためになされたものであって、断熱効果の低下を防止することができるエアカーテン装置およびその筐体を提供することを目的とする。
【課題を解決するための手段】
【０００９】
上記目的を達成するために、本発明は、以下の手段を提供する。
本発明のエアカーテン装置は、空気を外部へ吹き出す吹出口および空気を内部へ吸込む吸込口が設けられた一対の筐体と、該一対の筐体内にそれぞれ設けられ、空気を前記吹出口から吹き出させる送風部と、を有し、前記一対の筐体の内部には、空気を一時的に貯留する貯留部が設けられ、一方の筐体における前記吹出口および前記吸込口に対して他方の筐体における前記吸込口および前記吹出口がそれぞれ対向配置され、前記送風部により吹き出された空気が、前記一方の筐体の前記吹出口から前記他方の筐体の前記吸込口、前記他方の筐体の前記吹出口、前記一方の筐体の前記吸込口の順に循環されることを特徴とする。
【００１０】
本発明によれば、筐体の内部に空気を一時的に貯留する貯留部が設けられているため、貯留部を経て吹出口から吹き出される空気の流速分布を均一にすることができる。そのため、一対の筐体間に均一な流速分布を有するエアカーテンを形成することができ、従来のようなエアカーテンの流速が遅い領域から外部の空気が内部空間（例えば冷凍庫内）に流入する恐れがなく、熱の断熱効果の低下を防止できる。
【００１１】
貯留部の配置場所としては、例えば、吸込口と送風部との間を挙げることができる。この位置に貯留部を配置することにより、送風部に吸込まれる空気の流速分布を均一にすることができるため、送風部により吹出口から吹き出される空気の流速分布を均一にすることができる。また、送風部と吹出口との間に貯留部を配置する例を挙げることもできる。この位置に貯留部を配置することにより、送風部から吹き出される空気の流速分布が不均一であっても、吹出口から吹き出される空気の流速分布を均一にすることができる。
【００１２】
また、送風部により一方の筐体と他方の筐体との間で空気を循環させてエアカーテンを形成するため、外部の空気又は内部空間の空気が当該循環する空気に混入したり、当該循環する空気が内部空間に流入したりすることを防止でき、熱の断熱効果の低下を防止できる。
【００１３】
上記発明においては、前記送風部に吸込まれる空気の流れ方向、または、前記送風部から吹き出される空気の流れ方向の少なくとも一方が、前記一方の筐体および前記他方の筐体の間における空気が循環する面に対して交差するように前記送風部が配置されていることが望ましい。
【００１４】
本発明によれば、送風部に吸込まれる空気の流れ方向、または、送風部から吹き出される空気の流れ方向の少なくとも一方が、上記空気が循環する面に対して交差する方向とされるため、吹出口から吹き出される空気の流速分布を均一にすることができる。
【００１５】
送風部に吸込まれる空気の流れ方向が、上記空気が循環する面に対して交差する方向である場合には、送風部に吸込まれる空気の流速分布を均一にすることにより、送風部から吹き出される空気の流速分布を均一にすることができる。つまり、空気は送風部に吸込まれる前に流れ方向が曲げられるため、流れが一時的に澱む領域が形成される。空気はこの澱み領域を通過するため、送風部に吸込まれる際に流速分布が均一となる。
【００１６】
送風部から吹き出される空気の流れ方向が、上記空気が循環する面に対して交差する方向である場合には、送風部から吹き出された空気の流れ方向が曲げられることにより、吹出口から吹き出される空気の流速分布を均一にすることができる。
つまり、空気は吹出口から吹き出される前に流れ方向が曲げられるため、流れが一時的に澱む領域が形成される。空気はこの澱み領域を通過するため、吹出口から吹き出される際に流速分布が均一となる。
【００１７】
上記発明においては、前記一対の筐体にそれぞれ設けられた前記送風部の送風能力が略同等であることが望ましい。
本発明によれば、一対の筐体に設けられた送風部の送風能力が略同等であるため、例えば、一対の筐体間で循環される空気に外部の空気が混入したり、循環される空気の一部が内部空間（例えば冷凍庫内）に流入したりすることを防止できる。
【００１８】
上記発明においては、前記一方の筐体および前記他方の筐体における前記吹出口と前記吸込口との間には、前記吹出口と前記吸込口とを所定間隔に離間させる離間部が設けられていることが望ましい。
【００１９】
本発明によれば、離間部を設けて吹出口と吸込口との間を所定間隔に離間させているため、一方の筐体の吹出口から吹き出され他方の筐体の吸込口に流入する空気の流れと、他方の筐体の吹出口から吹き出され一方の筐体の吸込口に流入する空気の流れとが衝突することを防止できる。
【００２０】
本発明のエアカーテン装置の筐体は、一対の筐体間で空気の循環流れを形成するエアカーテン装置の筐体であって、一対の筐体には、外部に空気を吹き出す吹出口と、内部に空気を吸込む吸込口と、空気を一時的に貯留する貯留部とが設けられ、一対の筐体に設けられた前記吹出口が略同一面積に形成されているとともに、一対の筐体に設けられた前記吸込口が略同一面積に形成されていることを特徴とする。
【００２１】
本発明によれば、筐体に空気を一時的に貯留するする貯留部が設けられているため、筐体に送風部を設けた際に、吹出口から均一な流速の空気流れを吹き出させることができる。そのため、一対の筐体間に均一な流速分布を有するエアカーテンを形成することができ、従来のようなエアカーテンの流速が遅い領域から外部の空気が内部空間（例えば冷凍庫内）に流入する恐れがなく、熱の断熱効果の低下を防止できる。
【００２２】
一対の筐体に設けられた吹出口の面積が略同一であるとともに、一対の筐体に形成された吸込口の面積が略同一であるため、一方の筐体において吸込み、吹き出される空気流量と、他方の筐体において吸込み、吹き出される空気流量とを略同一にすることができる。そのため、例えば、一対の筐体間で循環される空気に外部の空気が混入したり、循環される空気の一部が内部空間（例えば冷凍庫内）に流入したりすることを防止できる。
【発明の効果】
【００２３】
本発明のエアカーテン装置およびその筐体によれば、筐体の内部に空気を一時的に貯留する貯留部が設けられているため、貯留部を経て吹出口から吹き出される空気の流速分布を均一にすることができる。そのため、一対の筐体間に均一な流速分布を有するエアカーテンを形成することができ、従来のようなエアカーテンの流速が遅い領域から外部の空気が内部空間（例えば冷凍庫内）に流入する恐れがなく、熱の断熱効果の低下を防止できるという効果を奏する。
【発明を実施するための最良の形態】
【００２４】
この発明の一実施形態に係るエアカーテン装置について、図１から図４を参照して説明する。
図１は、本実施形態におけるエアカーテン装置の全体構成を説明する正面図である。図２は、図１のエアカーテン装置の全体構成を説明する上面視図である。
本実施形態においては、エアカーテン装置を物流の中継基地である冷蔵庫において、その出入口に用いられるエアカーテン装置に適用して説明する。
【００２５】
エアカーテン装置１は、図１および図２に示すように、左右で一対の筐体３Ｒ，３Ｌとから概略構成されている。筐体３Ｒ，３Ｌは冷蔵庫５の出入口扉７の外側であって、出入口９の左右に隣接して配置されている。
なお、本実施形態においては、出入口扉７を左右開きの一対の扉に適用して説明しているが、片開きの扉であってもよいし、扉を備えない開放された出入口であってもよく、特に限定するものではない。
【００２６】
図３は、図１のエアカーテン装置の内の右側に配置される筐体の構成を説明する斜視図である。
正面視においてエアカーテン装置１の右側に配置される右側筐体（一方の筐体）３Ｒは、内部が空洞な略立方体状に形成され、後述する左側筐体３Ｌと対向する面に空気を外部に吹き出す開口部である吹出口１１Ｒと、空気を内部に吸込む開口部である吸込口１３Ｒとが形成されている。
また、右側筐体３Ｒの内部には、吸込口１３から吸込まれた空気を吹出口１１Ｒから吹き出させるファン装置（送風部）１５Ｒが配置されている。右側筐体３Ｒの下端には、右側筐体３Ｒを床面に固定する固定ボルトを打ち込むためのベース１７が設けられている。
【００２７】
吸込口１３Ｒは、右側筐体３Ｒの上方であって、左側筐体３Ｌと対向する面における奥行き方向の略全幅にわたって形成されている。また、吸込口１３Ｒにはメッシュ（図示せず）が配置され、塵埃などの異物の侵入を防止している。
吹出口１１Ｒは、右側筐体３Ｒの下方であって、左側筐体３Ｌと対向する面における奥行き方向の一部にわたるように形成されている。また、吹出口１１Ｒは、左側筐体３Ｌと対向する面における冷蔵庫５側（図３における奥側）端に位置するように形成されている。また、吹出口１１Ｒには、吹き出す空気流れを整える整流格子（図示せず）が配置されている。
吸込口１３Ｒと吹出口１１Ｒとの間には、吸込口１３Ｒと吹出口１１Ｒとを所定距離だけ離間させる離間部１９が形成されている。
【００２８】
ファン装置１５Ｒは、軸流ファンと、軸流ファンを回転駆動するモータとを備えた送風装置である。ファン装置１５Ｒの外形寸法は、上下方向（図３中の上下方向）は吹出口１１Ｒと略同じ寸法とされるとともに、左右方向（図３中の左右方向）および奥行き方向（図３中の奥行き方向）はともに、右側筐体３Ｒとの間に空間が形成される寸法とされている。
【００２９】
ファン装置１５Ｒは、右側筐体３Ｒの下方の冷蔵庫５側（図３中の奥側）の壁面であって、左側筐体３側（図３中の左側）の壁面に接するように配置されている。そのため、ファン装置１５Ｒの手前側（図３中の手前側）および右側（図３中の右側）には、それぞれ空気を一時的に貯留する第１貯留空間（貯留部）２１Ｒおよび第２貯留空間（貯留部）２３Ｒが形成されている。
ファン装置１５Ｒの手前側の面には、空気をファン装置１５Ｒ内に吸込む開口部２５が形成されている。
【００３０】
図４は、図１のエアカーテン装置の内の左側に配置される筐体の構成を説明する斜視図である。
正面視においてエアカーテン装置１の左側に配置される左側筐体（他方の筐体）３Ｌは、前述した右側筐体３Ｒと同様に、内部が空洞な略立方体状に形成され、吹出口１１Ｌと、吸込口１３Ｌとが形成されている。また、内部にはファン装置（送風部）１５Ｌが配置され、下端にはベース１７が設けられている。
【００３１】
吸込口１３Ｌは、左側筐体３Ｌの下方であって、右側筐体３Ｒと対向する面における奥行き方向の略全幅にわたって形成されている。また、吸込口１３Ｌにはメッシュ（図示せず）が配置され、塵埃などの異物の侵入を防止している。
吹出口１１Ｌは、左側筐体３Ｌの上方であって、右側筐体３Ｒと対向する面における奥行き方向の一部にわたるように形成されている。また、吹出口１１Ｌは、右側筐体３Ｒと対向する面における冷蔵庫５側（図４における奥側）端に位置するように形成されている。また、吹出口１１Ｌには、吹き出す空気流れを整える整流格子（図示せず）が配置されている。
吸込口１３Ｌと吹出口１１Ｌとの間には、吸込口１３Ｌと吹出口１１Ｌとを所定距離だけ離間させる離間部１９が形成されている。
【００３２】
ファン装置１５Ｌは、軸流ファンと、軸流ファンを回転駆動するモータとを備えた送風装置である。
ファン装置１５Ｌの外形寸法は、上下方向（図４中の上下方向）は吹出口１１Ｌと略同じ寸法とされるとともに、左右方向（図４中の左右方向）および奥行き方向（図４中の奥行き方向）はともに、左側筐体３Ｌとの間に空間が形成される寸法とされている。
なお、ファン装置１５Ｌとファン装置１５Ｒとは同一の送風能力を有する物が用いられており、一般に市販されている物を用いても構わない。
【００３３】
ファン装置１５Ｌは、左側筐体３Ｌの上方の冷蔵庫５側（図４中の奥側）の壁面であって、右側筐体３側（図４中の右側）の壁面に接するように配置されている。そのため、ファン装置１５Ｌの手前側（図４中の手前側）および左側（図４中の右側）には、空気を一時的に貯留する第１貯留空間（貯留部）２１Ｌおよび第２貯留空間（貯留部）２３Ｌが形成されている。
ファン装置１５Ｌの手前側の面には、空気をファン装置１５Ｌ内に吸込む開口部２５が形成されている。
【００３４】
次に、上記の構成からなるエアカーテン装置１における作用について説明する。
エアカーテン装置１のスイッチが入れられると、ファン装置１５Ｒ，１５Ｌのモータが一定速度で回転する。
【００３５】
ファン装置１５Ｒが回転すると、図３に示すように、吸込口１３Ｒから空気が右側筐体３Ｒ内に流入し、下方に向かって流れる。下方に流れた空気はファン装置１５Ｒの右側の第２貯留空間２３Ｒに流入した後に、ファン装置１５Ｒに向かって流れる。ファン装置１５Ｒに向かう空気流れは、ファン装置１５Ｒに衝突し、手前側（図３中の手前側）に流れの向きを変えてファン装置１５Ｒの手前側の第１貯留空間２１Ｒに流入する。
【００３６】
第１貯留空間２１Ｒに流入した空気は、開口部２５からファン装置１５Ｒ内に流入し、冷蔵庫５側に向かって吹き出される。ファン装置１５Ｒから吹き出された空気は、右側筐体３Ｒの壁面に沿って吹出口１１Ｒから左側筐体３Ｌに向かって吹き出される。
【００３７】
吹出口１１Ｒから吹き出された空気は、次第に拡散しながら左側筐体３Ｌに向かって流れ、吸込口１３Ｌに吸込まれる。
吸込口１３Ｌから左側筐体３Ｌ内に吸込まれた空気は、図４に示すように、上方に向かって流れる。上方に流れた空気はファン装置１５Ｌの左側の第２貯留空間２３Ｌに流入した後に、ファン装置１５Ｌに向かって流れる。ファン装置１５Ｌに向かう空気流れは、ファン装置１５Ｌに衝突し、手前側（図４中の手前側）に流れの向きを変えてファン装置１５Ｌの手前側の第１貯留空間２１Ｌに流入する。
【００３８】
第１貯留空間２１Ｌに流入した空気は、開口部２５からファン装置１５Ｌ内に流入し、冷蔵庫５側に向かって吹き出される。ファン装置１５Ｌから吹き出された空気は、左側筐体３Ｌの壁面に沿って吹出口１１Ｌから右側筐体３Ｒに向かって吹き出される。
以後、吹き出された空気は吸込口１３Ｒから右側筐体３Ｒに吸込まれ、上述の過程を繰り返す。
【００３９】
ここで、エアカーテン装置１の具体的な寸法の一例を挙げると、右側筐体３Ｒと左側筐体３Ｌとの間隔が２．４ｍ（２４００ｍｍ）であって、両筐体３Ｒ，３Ｌの高さが２．６ｍ（２６００ｍｍ）、左右方向の幅が０．９ｍ（９００ｍｍ）、奥行き方向の幅が０．４５ｍ（４５０ｍｍ）のものが例示できる。この場合において、ファン装置１５Ｒ，１５Ｌの上下方向長さが１ｍ（１００ｍｍ）、離間部１９の上下方向長さが０．３ｍ（３００ｍｍ）となる。
【００４０】
上記の構成によれば、右側筐体３Ｒおよび左側筐体３Ｌの内部に空気を一時的に貯留する第１貯留空間２１Ｒ，２１Ｌおよび第２貯留部２３Ｒ，２３Ｌが設けられているため、第１貯留空間２１Ｒ，２１Ｌおよび第２貯留部２３Ｒ，２３Ｌを経てファン装置１５Ｒ，１５Ｌに吸込まれ、吹出口１１Ｒ，１１Ｌから吹き出される空気の流速分布を均一にすることができる。そのため、右側筐体３Ｒと左側筐体３Ｌとの間に均一な流速分布を有するエアカーテンを形成することができ、従来のようなエアカーテンの流速が遅い領域から外部の空気が内部空間（例えば冷凍庫内）に流入する恐れがなく、熱の断熱効果の低下を防止できる。
【００４１】
また、ファン装置１５Ｒ，１５Ｌにより右側筐体３Ｒと左側筐体３Ｌとの間で空気を循環させてエアカーテンを形成するため、冷蔵庫５外部の空気又は冷蔵庫５内の空気が当該循環する空気に混入したり、当該循環する空気が冷蔵庫５内に流入したりすることを防止でき、熱の断熱効果の低下を防止できる。
【００４２】
ファン装置１５Ｒ，１５Ｌに吸込まれる空気は、第２貯留空間２３Ｒ，３Ｌにおいてファン装置１５Ｒ，１５Ｌに衝突して手前側に流れの向きを変えた後、第１貯留空間２１Ｒ，２１Ｌにおいて冷蔵庫５側に流れの向きを変えている。つまり、第１貯留空間２１Ｒ，２１Ｌおよび第２貯留空間２３Ｒ，３Ｌにおいて、空気の流れの向きが変えられ、流れが澱む領域が形成されるため、ファン装置１５Ｒ，１５Ｌに吸い込まれる空気の流速分布を均一にすることができる。その結果、ファン装置１５Ｒ，１５Ｌから吹き出される空気の流速分布を均一にでき、吹出口１１Ｒ，１１Ｌから吹き出される空気の流速分布を均一にすることができる。
【００４３】
また、ファン装置１５Ｒ，１５Ｌから冷蔵庫５に向かって吹き出された空気の流れは、筐体３Ｒ，３Ｌの壁面に衝突して曲げられるため、吹出口１１Ｒ，１１Ｌから吹き出される空気の流速分布は均一になる。つまり、空気は吹出口１１Ｒ，１１Ｌから吹き出される前に流れ方向が曲げられるため、流れが一時的に澱む領域が形成される。空気はこの澱み領域を通過するため、吹出口１１Ｒ，１１Ｌから吹き出される際に流速分布が均一となる。
【００４４】
ファン装置１５Ｒ，１５Ｌの送風能力が略同等であるため、右側筐体３Ｒと左側筐体３Ｌとの間で循環される空気に冷蔵庫５外部の空気が混入したり、循環される空気の一部が冷蔵庫５内に流入したりすることを防止できる。
つまり、吸込口１３Ｒ，３Ｌから吸い込まれる空気流量と、吹出口１１Ｒ，１１Ｌから吹き出される空気流量が略等しいため、吸込口１３Ｒ，３Ｌから余分な空気が吸込まれることがないとともに、吹出口１１Ｒ，１１Ｌから吹き出された空気が吸込口１３Ｒ，３Ｌに吸込まれることなく溢れることがない。
【００４５】
離間部１９を設けて吹出口１１Ｒと吸込口１３Ｒとの間、および吹出口１１Ｌと吸込口１３Ｌとの間を所定間隔に離間させているため、吹出口１１Ｒから吹き出され吸込口１３Ｌに流入する空気の流れと、吹出口１１Ｌから吹き出され吸込口１３Ｒに流入する空気の流れとが衝突することを防止できる。
そのため、循環する空気流れの乱れ発生を防止でき、流れが乱れた領域から外部の空気が冷蔵庫５内に流入することを防止し、熱の断熱効果の低下を防止できる。
【００４６】
なお、本発明の技術範囲は上記実施形態に限定されるものではなく、本発明の趣旨を逸脱しない範囲において種々の変更を加えることが可能である。
例えば、上記の実施の形態においては、この発明を冷蔵庫の出入口に用いるエアカーテン装置に適応して説明したが、その他にも、デパートやビルの出入口に用いられるエアカーテン装置に適用できるものである。
【００４７】
また、上述の実施形態のように、ファン装置１５Ｒ，１５Ｌの空気吸込み側に空気貯留部を配置してもよいし、ファン装置１５Ｒ，１５Ｌの空気吹き出し側に空気貯留部を配置してもよく、特に限定するものではない。
【図面の簡単な説明】
【００４８】
【図１】本発明の第１の実施形態におけるエアカーテン装置の全体構成を説明する正面図である。
【図２】図１のエアカーテン装置の全体構成を説明する上面視図である。
【図３】図１のエアカーテン装置の内の右側に配置される筐体の構成を説明する斜視図である。
【図４】図１のエアカーテン装置の内の左側に配置される筐体の構成を説明する斜視図である。
【符号の説明】
【００４９】
１  エアカーテン装置
３Ｒ  右側筐体（一方の筐体）
３Ｌ  左側筐体（他方の筐体）
１１Ｒ，１１Ｌ  吹出口
１３Ｒ，１３Ｌ  吸込口
１５Ｒ，１５Ｌ  ファン装置（送風部）
１９  離間部
２１Ｒ，２１Ｌ  第１貯留空間（貯留部）
２３Ｒ，２３Ｌ  第２貯留空間（貯留部）
【図１】
2008215724.tif 000003
【図２】
2008215724.tif 000004
【図３】
2008215724.tif 000005
【図４】
2008215724.tif 000006